(57)【要約】      （修正有）【課題】ロールペーパーの浪費を防止した上で、美感や利便性に優れているロールペーパーホルダーを提供する。【解決手段】ロールペーパーＰを支持するアーム３を揺動可能な構造にしバネ材１３によって上向きの力が付加、またロールペーパーＰを上方から押さえ付けるカバー４を本体２に固定し、その結果アーム３とカバー４とでロールペーパーＰを挟み込み、ロールペーパーＰの回転に適度なブレーキを掛けることができる。そのため無駄な引き出しを防止し、しかもロールペーパーＰが常にカバー４先端の切刃１８に接しているため、引き出された端部を持ち上げるだけで簡単に切り出しができる。加えて三角形の飾り板７を設けることで、これまでロールペーパーの端部を折り畳んで形成していた三角形の引き出し部と同等な外観を提供でき、スリ板２３や主ローラー５などにより簡単な操作でロールペーパーＰの端部を引き出すことができ、美感や利便性にも優れている。【選択図】図１
2007044151.tif 000002
【特許請求の範囲】
【請求項１】
壁面等に固定される本体（２）に、ロールペーパー（Ｐ）を保持する左右一対のアーム（３）と、ロールペーパー（Ｐ）の上部に覆い被さるカバー（４）と、を備え、
前記アーム（３）の基端は、支点（１１）を介して揺動可能な状態で本体（２）に支持されており、且つ前記アーム（３）の先端には、ロールペーパー（Ｐ）の芯（Ｗ）内に差し込まれる保持具（１２）を有しており、
前記カバー（４）は、本体（２）に移動不能に取り付けられ、且つ先端には引き出されたロールペーパー（Ｐ）を切断するための切刃（１８）を備えており、
前記アーム（３）の先端を持ち上げるための付勢力を発生するバネ材（１３）を、アーム（３）と本体（２）との間に介在させて、アーム（３）の先端側の上昇によってロールペーパー（Ｐ）を常にカバー（４）の切刃（１８）付近に接触させていることを特徴とするロールペーパーホルダー。
【請求項２】
前記カバー（４）を覆い回動自在に本体（２）に取り付けられている補助カバー（６）を備え、且つ前記カバー（４）の先端と前記補助カバー（６）の先端との隙間から垂下している三角形状の飾り板（７）を備え、該飾り板（７）は、カバー（４）と補助カバー（６）との間に収納できる可動構造であることを特徴とする請求項１記載のロールペーパーホルダー。
【請求項３】
前記可動構造は、前記飾り板（７）に一体化された連結板（１７）と、該連結板（１７）を揺動可能な状態で本体（２）に取り付けるための係止軸（１６）と、から構成されていることを特徴とする請求項２記載のロールペーパーホルダー。
【請求項４】
ロールペーパー（Ｐ）の先端を垂下させるため、ロールペーパー（Ｐ）に回転を付与させることのできる駆動手段を備えていることを特徴とする請求項１，２または３記載のロールペーパーホルダー。
【請求項５】
前記駆動手段は、ロールペーパー（Ｐ）の外周面に接触する主ローラー（５）と、該主ローラー（５）を回転可能に支持するための取付具（１４）と、前記カバー（４）の一部を切り抜いて形成され主ローラー（５）が入り込む窓部（１９）と、補助カバー（６）に形成されたガイド溝（２４）に沿って移動可能なレバー（２２）と、該レバー（２２）と一体で移動し且つ主ローラー（５）を回転させるためのスリ板（２３）と、から構成され、レバー（２２）の移動によってスリ板（２３）と主ローラー（５）とを介してロールペーパー（Ｐ）に回転が付与されることを特徴とする請求項４記載のロールペーパーホルダー。
【発明の詳細な説明】
【技術分野】
【０００１】
本発明は、トイレットペーパーを始めとするロールペーパーを保持して、これを円滑に引き出すことのできるロールペーパーホルダーに関する。
【背景技術】
【０００２】
トイレの個室内には、家庭用はもちろんとして公共の場所においてもトイレットペーパーが備え付けられている場合が多い。トイレットペーパーは、単体での取り扱いが面倒なため、通常は芯の中に軸などを差し込んで、回転可能な状態で支持できる専用のホルダーが使用されており、用後にペーパーの端部を引き出して、所定の長さに達した時点で切断する。このロールペーパーの芯の支持については、ペーパーの交換を円滑に行えるよう様々な方法が開発されており、軸を伸縮可能な構造にするものが古くから普及しており、それ以外にも可倒式の爪を左右対称に配置して、この爪で芯の両端だけを支持するものがある。またロールペーパーの切断を容易にするため、ロールペーパーホルダーには専用のカバーを備えており、このカバーは、ロールペーパーの上部を覆うように配置され、ペーパーをスムーズに切断できるよう、先端がクサビ形になっている。
【０００３】
ホテルや客単価の高い小売店や飲食店では、トイレの衛生管理を重要なサービスとして考えており、洗浄装置や脱臭装置などを装備しており、また美感に優れた内装に仕上げられ、しかも定期的な清掃を欠かさずに行っている。このようなトイレを清掃する際は、トイレットペーパーの端部を三角形に折り畳んで、カバーの先端から垂下させる作業を併せて行うことが多く、これによってペーパーの引き出しが容易になるほか、美感にも優れており、使用者に対して好印象を与えることが期待できる。なおペーパーホルダーについては、下記公報の他、衛生面や利便性などを考慮した発明が多数提案されている。
【特許文献１】特開平９−１７３２４３号公報
【発明の開示】
【発明が解決しようとする課題】
【０００４】
トイレットペーパーは、勢いよく引き出すとロール全体に回転力が加わり、その回転が急には止まらないため、必要以上に引き出されてしまうことがある。一度引き出されたペーパーを戻すのは面倒で、また他人の視線が届かない個室内という事情もあり、不要な分もそのまま消費される。一方でトイレットペーパーは無償で提供される場合が多く、浪費は避けてもらいたいが、注意書きなどを提示すると印象を悪くする恐れがあり、使用量の削減は難しい状況にある。
【０００５】
また清掃の際、トイレットペーパーの端部を三角形に折り畳む作業は、単純だが面倒であり、しかも限られた作業時間内で実施することが難しいこともある。そしてせっかく折り畳みを行っても、これを目にすることができるのは最初の使用者に限られており、労力の割には効果が少ないという問題もある。しかし常に三角形に折り畳まれている状態を維持できるならば、全ての使用者に対して好印象を与えることが可能になり、営業面での効果も期待できる。そのほかトイレの狭い個室の中は、不自然な体勢になることも多い過酷な環境であり、より簡単にペーパーの引き出しが行えることが望ましい。
【０００６】
本発明はこうした実情を基に開発されたもので、ロールペーパーの浪費を防止した上で、美感や利便性にも優れているロールペーパーホルダーの提供を目的としている。
【課題を解決するための手段】
【０００７】
前記の課題を解決するための請求項１記載の発明は、壁面等に固定される本体に、ロールペーパーを保持する左右一対のアームと、ロールペーパーの上部に覆い被さるカバーと、を備え、前記アームの基端は、支点を介して揺動可能な状態で本体に支持されており、且つ前記アームの先端には、ロールペーパーの芯内に差し込まれる保持具を有しており、前記カバーは、本体に移動不能に取り付けられ、且つ先端には引き出されたロールペーパーを切断するための切刃を備えており、前記アームの先端を持ち上げるための付勢力を発生するバネ材を、アームと本体との間に介在させて、アームの先端側の上昇によってロールペーパーを常にカバーの切刃付近に接触させていることを特徴とするロールペーパーホルダーである。
【０００８】
本体は、ロールペーパーホルダーの土台となる部品であり、従来のものと同様、上から見て「コ」の字状に形成されており、その中央部を壁などに密着させて、接着やネジ釘などで固定され、また中央部の両端から直角に延びる両側部の間に、ロールペーパーを収容できる構造である。次にアームは、ロールペーパーを保持する機能を有し、本体の両側部に左右対称に配置されており、しかもその基端側が支点を介して本体に取り付けられている。支点は水平に延びておりアームを回転可能な状態で支持しているため、アームは支点を中心として揺動可能であり、これにより支点と反対側のアームの先端側は上下に移動可能である。さらにアームの先端側には、ロールペーパーを載せるための保持具を備えている。この保持具の具体的な形状は限定されないが、芯内を貫通して左右両側のアームを結ぶ棒状のものや、芯の端部に差し込むことのできる可倒式の爪などが挙げられる。
【０００９】
カバーは、ロールペーパーの上部に覆い被さるように配置され、平板状ながらもロールペーパーに合わせて先端側は円形に屈曲しており、その最先端部の一辺にはロールペーパーの切り取りを行うための切刃が形成されており、これらの基本的な構成は従来と同様である。しかし本発明では、このカバーが本体と一体に固定されており、従来のように先端を上側に跳ね上げることはできない。
【００１０】
バネ材は、揺動可能に構成したアームに付勢力を与えるもので、保持具を備えているアームの先端側を上方に押し上げる役割がある。これによって保持具で支持されたロールペーパーは、常に上向きの力を受けることになり、その直径に関わらず常に固定されたカバーの裏面に接触できる状態になる。なおバネ材の配置や構成は自在に決めることが可能で、アームを下から押し上げるものや、上から引き上げるものの他、コイル状のバネ材を用いて回転力を作用させることも可能である。ただしバネ材は、ロールペーパーを確実に持ち上げるだけの反力を発生する必要がある。
【００１１】
バネ材によってロールペーパーは常に上向きの力を受けているが、ロールペーパーに覆い被さっているカバーは、本体に固定されているため移動不能であり、この力を受け止めている。またカバーは単にロールペーパーを押さえ付けていれば良い訳ではなく、双方の接触位置はカバーの切刃付近にする必要がある。なおロールペーパーの直径は、使用によって次第に縮小していくが、直径に依存しないでロールペーパーがカバーの切刃付近に接触するよう、アームの長さや支点の位置を設計時に決める必要がある。
【００１２】
このように構成することで、ロールペーパーの直径が縮小していくと、バネ材によってアームが上昇していくため、常にロールペーパーの外周面がカバーの切刃付近に接触している状態を維持でき、ロールペーパーが切刃に接していることで、引き出されたロールペーパーを持ち上げると自然に切断が行われるほか、ロールペーパーの回転にブレーキが掛かり、必要以上に引き出されることもない。
【００１３】
請求項２記載の発明は、前記カバーを覆い回動自在に本体に取り付けられている補助カバーを備え、且つ前記カバーの先端と前記補助カバーの先端との隙間から垂下している三角形状の飾り板を備え、該飾り板は、カバーと補助カバーとの間に収納できる可動構造であることを特徴とする請求項１記載のロールペーパーホルダーである。
【００１４】
この発明による補助カバーは、前記のカバーの上に重なるように配置され、従来から用いられている通常のカバーと同様、本体に対して揺動自在に取り付けられており、必要に応じて先端を跳ね上げることも可能である。また飾り板は、ロールペーパーの先端に形成される三角形の折り畳みと同様の外観を提供する役割があり、白色の樹脂板などの耐久性のある素材を三角形に切り出して形成され、その頂点を下に向けてカバーと補助カバーとの間から垂れ下がるように配置される。また可動構造とは、飾り板を下側から押し上げると容易に上方に移動して、カバーと補助カバーとの間に入り込むことのできる構造を指している。このように構成することで、通常は飾り板が三角形の折り畳みと同様の外観を提供しており、ロールペーパーを引き出して持ち上げると、飾り板がロールペーパーによって持ち上げられると同時に切刃に接触して切断が行われる。その後、飾り板は自重によってカバーの先端に向けて落下して、元の外観に復帰する。
【００１５】
請求項３記載の発明は、前記の可動構造が、前記飾り板に一体化された連結板と、該連結板を揺動可能な状態で本体に取り付けるための係止軸と、から構成されていることを特徴とする請求項２記載のロールペーパーホルダーである。連結板は細長い帯状のもので、飾り板の上方に固定されており、飾り板を保持するために使用され、また係止軸は、飾り板から延びる連結板の先端付近を揺動可能に支持するものである。連結板は、飾り板の左右両端に一対が使用され、これが本体の両側部に形成された係止軸によって支持されており、これらの形状や配置を最適化することで、通常は両カバーの間から飾り板が垂下しており、ロールペーパーの切断時には両カバーの間に収納されるといった、所定の機能を具体化することができる。
【００１６】
請求項４記載の発明は、ロールペーパーの先端を垂下させるため、ロールペーパーに回転を付与させることのできる駆動手段を備えていることを特徴とする請求項１，２または３記載のロールペーパーホルダーである。本発明では本体に固定されたカバーを使用しているため、ロールペーパーの引き出しを従来のような方法で実施できない。駆動手段はこの点を解消するためのもので、ロールペーパーに回転を付与させる機能があり、これによってロールペーパーの先端をロールから垂下させることができ、これを手に取ることで容易に引き出しが可能になる。
【００１７】
請求項５記載の発明は、前記の駆動手段が、ロールペーパーの外周面に接触する主ローラーと、該主ローラーを回転可能に支持するための取付具と、前記カバーの一部を切り抜いて形成され主ローラーが入り込む窓部と、補助カバーに形成されたガイド溝に沿って移動可能なレバーと、該レバーと一体で移動し且つ主ローラーを回転させるためのスリ板と、から構成され、レバーの移動によってスリ板と主ローラーとを介してロールペーパーに回転が付与されることを特徴とする請求項４記載のロールペーパーホルダーである。
【００１８】
主ローラーは円筒形状でカバーの上方に配置され、その外周面がロールペーパーに接触しているため、これが回転することでロールペーパーも回転する。取付具は主ローラーを支持するためのもので、この一端は本体に固定されており、他端には主ローラーが回転可能な状態で取り付けられている。また取付具は本体に対して弾性的に取り付けられており、外部から荷重を加えることで主ローラーをロールペーパーに押し付けることができる。そのほか窓部は、主ローラーがロールペーパーに接触できるよう、カバーの一部を矩形状に切り抜いて形成された箇所を指している。そのほか補助カバーには、表裏面を貫く線状のガイド溝が形成されており、レバーはガイド溝に沿って補助カバーの上面を移動可能であり、またスリ板は補助カバーの下に配置されガイド溝を介してレバーと一体化されており、このスリ板は主ローラーに直接的または間接的に接触している。したがってレバーを人為的に移動させると、スリ板が一体で移動して、スリ板に接触している主ローラーが回転して、最終的にはロールペーパーが回転する。このように構成することで、レバーを移動させるといった簡単な操作で、ロールペーパーの先端を垂下させることが可能になる。
【発明の効果】
【００１９】
請求項１記載の発明のように、バネ材によって上向きに付勢された揺動可能なアームによってロールペーパーを保持するとともに、ロールペーパーの上部に覆い被さるカバーを本体に固定することで、ロールペーパーの直径に関わらず常にロールペーパーの外周面をカバーの切刃付近に接触させることが可能になる。そのため引き出されたロールペーパーを上方に移動させるだけで直ちに切刃によって所定の分量だけが切り出されるため、取り扱いが極めて容易であり利便性に優れている。しかもロールペーパーは、保持具とカバーとによって挟み込まれた状態になっており、ロールペーパーの回転を抑制する効果があり、余計に引き出されることによる浪費を予防できる。
【００２０】
請求項２記載の発明のように、可動式の飾り板を設けることで、三角形の折り畳みがカバーの先端に形成されたような美感に優れた外観を常時提供できるようになり、店舗等の印象を高めることが期待できるほか、清掃時の手間も削減できる。また請求項３記載の発明によって飾り板の可動構造を具体化できる。
【００２１】
請求項４記載の発明のように、ロールペーパーの先端を垂下させるための駆動手段を設けることで、簡単な操作でロールペーパーを引き出すことが可能になり、手間が掛からず衛生面にも優れており利便性が一層向上する。また請求項５記載の発明によって駆動手段を具体化できるが、これはレバーを移動させるだけの簡単な操作でロールペーパーの先端を垂下でき、指一本だけで操作可能であり誰にとっても使い易い。
【発明を実施するための最良の形態】
【００２２】
図１は、本発明によるロールペーパーホルダー１の構造を示す斜視図である。ロールペーパーＰは、硬い紙を筒状に形成した芯Ｗの回りに薄手の紙を巻き付けてあり、使用によってその直径が小さくなっていき、最終的に芯Ｗだけが残った段階で新しいものに交換される。ロールペーパーホルダー１は、土台となる本体２に各種の部品を取り付けており、その本体２は、真ん中に位置する中央部８と、この中央部８の両端から突出している二つの側部９とから構成されている。これらは硬質樹脂を用いて一体成形されるのが一般的で、向かい合う側部９の間にロールペーパーＰが配置され、これを保持するための部品が側部９の内側に取り付けられている。
【００２３】
ロールペーパーＰを保持するため本体２の側部９の内側には、一対のアーム３が向き合うように配置されている。このアーム３は棒状であり、その一端側は、側部９から水平に突出している円柱状の支点１１によって軸止されており、この支点１１を中心にしてアーム３は自在に揺動できる構造になっている。またアーム３の端部には、ロールペーパーＰの芯Ｗに差し込まれる爪１２を備えており、この爪１２は、外力によって上方に倒れることでできる可倒式であり、ロールペーパーＰを補給する際は、ロールペーパーＰを本体２の下に持っていき、この両側面で爪１２を押し上げていくと、やがて芯Ｗが爪１２の高さに一致して、爪１２が内側に倒れて芯Ｗの中に差し込まれる。
【００２４】
アーム３は、支点１１を中心に自在に揺動可能であるが、アーム３先端の爪１２が上方に移動できるよう、バネ材１３によって付勢力が与えられている。バネ材１３の形状や配置は自在であり、図のような単純なコイルバネでも問題なく使用できる。そしてバネ材１３は、側部９の内側に形成された段部１０に一端が係止されており、他端はアーム３の中間部に接触している。図中では省略しているが、本来、バネ材１３を保持するための部品を段部１０やアーム３に備える必要がある。バネ材１３は圧縮された状態になっており、常時アーム３を持ち上げようとする反力を発生しているため、ロールペーパーＰも常に上向きの力を受けている。
【００２５】
ロールペーパーＰの上部を覆っているカバー４は、水などの飛散からロールペーパーＰを保護する役割のほか、ロールペーパーＰを切り取る際に備えて、その先端の一辺に切刃１８が形成されている。この切刃１８は、端面を鋭利なクサビ状に仕上げたり、鋸刃状に仕上げたりといった方法で形成されるが、事故防止のため切れ味は控えめにしてある。またカバー４は、本体２に固定されており、従来のように先端を跳ね上げることはできない。したがってバネ材１３によって持ち上げられたロールペーパーＰは、カバー４によって受け止められ、爪１２とカバー４とによって挟み込まれた状態になり、引き出されたロールペーパーＰを持ち上げると、直ちに切刃１８に接触して切断される。
【００２６】
次にカバー４の中央付近を切り欠いた窓部１９は、円柱形の主ローラー５をロールペーパーＰに接触させるために形成されており、この主ローラー５の中心を貫いている主軸２７は、本体２の中央部８から延びている取付具１４によって回転可能な状態で支持されている。また主ローラー５の後方には、同様の構造の副ローラー１５が配置されており、これら主ローラー５と副ローラー１５は接触しており、回転を伝達可能である。なお取付具１４は、その一端が本体２に固定されており、他端は主ローラー５や副ローラー１５を支持しており、その中間は帯状に形成されて弾性的に屈曲可能である。そのため主ローラー５などは上下に移動可能であり、通常でも自重でロールペーパーＰの外周面に接触しているが、外力を加えて押し下げた場合には、強く接触してブレーキとして機能するほか、主ローラー５の回転によってロールペーパーＰを回転させることもできる。なお主ローラー５や副ローラー１５の外周面に紙ヤスリなどを巻き付けて、摩擦を増加させることも可能である。
【００２７】
飾り板７は、従来のロールペーパーＰにおける三角形に折り畳まれた部分の代用となるもので、白色の耐久性のある硬質樹脂を三角形に切り出したものである。また飾り板７を保持するため、この上辺の両端には連結板１７が一対取り付けられている。この連結板１７は、硬質の帯状の樹脂板を折り曲げて形成したもので、カバーの両側面から下方に延びており、図示できないが側部９の下方にある係止軸１６によって揺動可能に支持されている。この飾り板７は自重によって落下しようとするが、カバー４側面の切欠３０によって受け止められており、飾り板７の下端を押し込むと全体が簡単に上方に移動する。したがって引き出されたロールペーパーＰを持ち上げると、飾り板７が押し上げられるが、ロールペーパーＰが切断されると、飾り板７は自重によって元の状態に戻る。
【００２８】
そのほかカバー４の上には補助カバー６を備えている。この補助カバー６は従来と同様、ピン２０によって回転自在に取り付けられており、この先端を跳ね上げることができる。また補助カバー６の裏側には、副ローラー１５に接触することのできるスリ板２３を備えており、このスリ板２３の移動によって副ローラー１５を回転させることができる。なおスリ板２３は、補助カバー６の表裏面を貫いているガイド溝２４に沿って移動できる構造であり、さらに補助カバー６の上面側にはレバー２２（裏面のため図示なし）が配置されており、このレバー２２はガイド溝２４の中を介してスリ板２３と一体化されている。なお図１では補助カバー６が跳ね上げられているが、通常は倒されており、スリ板２３が副ローラー１５に接触している。したがってレバー２２を移動させるとスリ板２３も移動していき、副ローラ１５を回転させることができ、またスリ板２３は、戻しバネ２６によって常に後方に引き寄せられており、この戻しバネ２６の一端を係止するため、補助カバー６の裏面にはストッパ２５が形成されている。そのほか補助カバー６の自重により主ローラー５がロールペーパーＰに押し付けられた状態になり、ロールペーパーＰに適度なブレーキが作用するため、勢いよく引き出されることを予防できる。
【００２９】
図２は、本発明の概要を示す縦断面図であり、基本的には図１と同一の構造だが、飾り板７とその周辺については作図を省略している。また図２（Ａ）はロールペーパーＰが未使用の状態を、図２（Ｂ）はロールペーパーＰを消費して芯Ｗだけが残った状態を示している。図２（Ａ）ではロールペーパーＰの直径が大きいため、カバー４と爪１２との間の距離が長くなり、その結果、アーム３の先端が下向きに傾斜した状態になっている。またバネ材１３は圧縮された状態にあるため、ロールペーパーＰを持ち上げようとする反力を発生している。そのほか主ローラー５はロールペーパーＰと接触しているが、副ローラー１５はやや高い位置にあるため、これは主ローラー５とスリ板２３だけに接触している。またスリ板２３は、副ローラー１５とだけ接触しており、レバー２２と一体でガイド溝２４に沿って移動でき、さらにスリ板２３を後方に引き寄せるための戻しバネ２６を備え、この戻しバネ２６を保持するためのストッパ２５が、補助カバー６の裏面に形成されている。
【００３０】
ロールペーパーＰが消費されると図２（Ｂ）のような状態になるが、この時も主ローラー５は芯Ｗに接触しており、この状態になるまでの間、常にロールペーパーＰは、主ローラー５によって適度なブレーキが掛かった状態を維持できる。これを実現するため取付具１４は弾性を有しており、上下方向に移動可能である。なお図２（Ａ）と図２（Ｂ）のいずれも状態においても、カバー４の先端にロールペーパーＰが接触しており、これらの図に示されない中間の段階においても、ロールペーパーＰがカバー４の先端付近に接触するようアーム３の長さや支点１１の位置が調整されている。その結果、ロールペーパーＰの直径に関わらず、引き出された分が常に切刃１８に接触している。
【００３１】
図３は、アーム３の揺動範囲を示す斜視図であり、図３（Ａ）はアーム３が最も上に位置している状態で、図３（Ｂ）はアーム３が最も下に位置している状態である。なおアーム３の動きを示すため、カバー４や補助カバー６などの一部の作図を省略している。アーム３は支点１１を中心に回転移動できる構造になっているが、左右のアーム３はそれぞれが独立しており、バネ材１３も双方に配置されている。
【００３２】
図４は、飾り板７の動きを示す斜視図である。図４（Ａ）は飾り板７が上方に移動している状態を示す斜視図であり、飾り板７の下端が切刃１８付近に位置している。また図４（Ｂ）および図４（Ｃ）は飾り板７周辺の構造を抽出して描いた斜視図であり、図４（Ｂ）は飾り板７が下方に移動した状態で、図４（Ｃ）は飾り板７が上方に移動した状態である。飾り板７は、連結板１７によって保持されており、この連結板１７は係止軸１６によって揺動可能に支持されている。なお連結板１７は、アーム３やカバー４などの部品と干渉しないよう複雑な形状になっており、飾り板７を安定して保持できるよう左右に対称形で配置されている。また係止軸１６は、飾り板７が自然に落下できるような位置に配置されるが、飾り板７の落下を規制するため、カバー４の側面には連結板１７を受け止める切欠３０が形成されている。
【００３３】
図５は、ロールペーパーＰの端部を垂下させるため、レバー２２を操作している状態を示す断面図で、図５（Ａ）はレバー２２を前進させている状態で、図５（Ｂ）はレバー２２が自然に後退している状態である。レバー２２を前進させると、スリ板２３によって副ローラー１５は矢印の方向に回転して、これに伴い主ローラー５は矢印の方向に回転する。そのためロールペーパーＰも矢印の方向に回転して、その先端が垂下していく。またレバー２２を手前に引き終わると、図５（Ｂ）のように、戻しバネ２６によってレバー２２は自動的に元の位置に復帰していくが、この際、副ローラー１５の中心を貫いている副軸２８は、取付具１４に形成された長孔２９の後方に移動するため、主ローラー５と副ローラー１５との接触が解消され、ロールペーパーＰが回転することはない。これら一連の構造によりロールペーパーＰを引き出したい場合、レバー２２を前進させるだけの極めて単純な操作だけで対応でき、またレバー２２を前進させた後は、戻しバネ２６により自動的に元の状態に戻り、しかも長孔２９の作用によりロールペーパーＰが逆回転することもない。
【００３４】
図６は本発明によるロールペーパーホルダー１の使用状態を示す斜視図であり、図６（Ａ）は非使用時の状態で、図６（Ｂ）はロールペーパーＰを切り出す際の状態を示している。このように通常は補助カバー６の先端から飾り板７が頂点を先頭に垂下しており、従来の三角形の折り畳みと同様な良好な印象を使用者に与えることが可能である。そしてレバー２２を手前に引き出すと、ロールペーパーＰの先端が垂れ下がり、これを持って上方に移動させると、飾り板７がカバー４と補助カバー６との間に入り込むとともに、切刃１８によって引き出された分だけが切断される。なお飾り板７をロールペーパーＰの端部と誤認して、これを無理に引き出すことを防止するため、飾り板７を青やピンク等の鮮やかで衛生感のある色彩に着色したり、図６（Ａ）のように案内や広告などのメッセージ２１を記載することもできるほか、期間限定の情報を記載した着脱可能なフィルムを日替わりで飾り板７に貼り付けていくことも可能である。
【図面の簡単な説明】
【００３５】
【図１】本発明によるロールペーパーホルダーの構造を示す斜視図である。
【図２】本発明の概要を示す縦断面図であり、（Ａ）はロールペーパーが未使用の状態を、（Ｂ）はロールペーパーを消費して芯だけが残った状態を示している。
【図３】アームの揺動範囲を示す斜視図であり、（Ａ）はアームが最も上に位置している状態を、（Ｂ）はアームが最も下に位置している状態を示している。
【図４】飾り板の動きを示す斜視図であり、（Ａ）は飾り板が上方に移動している状態で、（Ｂ）および（Ｃ）は飾り板周辺の構造を抽出して描いており、（Ｂ）は飾り板が下方に移動した状態で、（Ｃ）は飾り板が上方に移動した状態である。
【図５】ロールペーパーの端部を垂下させるため、レバーを操作している状態を示す断面図で、（Ａ）はレバーを前進させている状態で、（Ｂ）はレバーが自然に後退している状態である。
【図６】本発明によるロールペーパーホルダーの使用状態を示す斜視図であり、（Ａ）は非使用時の状態で、（Ｂ）はロールペーパーを切り出す際の状態を示している。
【符号の説明】
【００３６】
１  ロールペーパーホルダー
２  本体
３  アーム
４  カバー
５  主ローラー
６  補助カバー
７  飾り板
８  中央部
９  側部
１０  段部
１１  支点
１２  爪（保持具）
１３  バネ材
１４  取付具
１５  副ローラー
１６  係止軸
１７  連結板
１８  切刃
１９  窓部
２０  ピン
２１  メッセージ
２２  レバー
２３  スリ板
２４  ガイド溝
２５  ストッパ
２６  戻しバネ
２７  主軸
２８  副軸
２９  長孔
３０  切欠
Ｐ  ロールペーパー
Ｗ  芯
【図１】
2007044151.tif 000003
【図２】
2007044151.tif 000004
【図３】
2007044151.tif 000005
【図４】
2007044151.tif 000006
【図５】
2007044151.tif 000007
【図６】
2007044151.tif 000008